(57)【特許請求の範囲】
【請求項１】
Ｘ線ＣＴ撮影によって得られた３次元Ｘ線吸収係数データを基に、歯周組織の３次元的な歯周組織形状、或いは、治療対象である骨組織の３次元的な形状を演算処理手段により演算し、この演算された歯周組織形状、或いは、前記骨組織の形状を２次元に展開した展開形状を得、こうして得られた展開形状を前記歯周組織、或いは、前記骨組織を被覆する骨組織再生膜の切断パターンとして表示手段に表示することを特徴とする骨組織再生膜の切断パターン表示方法。
【請求項２】
Ｘ線ＣＴ撮影によって得られた３次元Ｘ線吸収係数データを基に、歯周組織の３次元的な歯周組織形状、或いは、治療対象である骨組織の３次元的な形状を演算処理手段により演算し、この演算された歯周組織形状、或いは、前記骨組織の形状を２次元に展開した展開形状を求め、この展開形状から前記歯周組織、或いは、前記骨組織を被覆する骨組織再生膜の切断データを作成することを特徴とする骨組織再生膜の切断データ作成方法。
【請求項３】
Ｘ線ＣＴ撮影によって得られた３次元Ｘ線吸収係数データを基に、歯周組織の３次元的な歯周組織形状、或いは、治療対象である骨組織の３次元的な形状を演算するステップと、この演算された歯周組織形状、或いは、前記骨組織の形状を２次元に展開した展開形状を得るステップと、この展開形状を前記歯周組織、或いは、前記骨組織を被覆する骨組織再生膜の切断パターンとして表示するステップとからなることを特徴とする骨組織再生膜の切断パターン表示方法を実現するプログラムを記録した記録媒体。
【請求項４】
Ｘ線ＣＴ撮影によって得られた３次元Ｘ線吸収係数データを基に、歯周組織の３次元的な歯周組織形状、或いは、治療対象である骨組織の３次元的な形状を演算するステップと、この演算された歯周組織形状、或いは、前記骨組織の形状を２次元に展開した展開形状を求めるステップと、この展開形状から前記歯周組織、或いは、前記骨組織を被覆する骨組織再生膜の切断データを作成するステップからなることを特徴とする骨組織再生膜の切断データ作成方法を実現するプログラムを記録した記録媒体。
【請求項５】
歯牙、或いは、骨組織の３次元Ｘ線吸収係数データを記憶保存する記憶手段と、この記憶手段に保存された歯牙、或いは、骨組織の３次元Ｘ線吸収係数データを基に演算処理を行う演算処理手段と、表示手段とを備え、
前記記憶手段に保存されたＸ線ＣＴ撮影によって得られた３次元Ｘ線吸収係数データを基に、歯周組織の３次元的な歯周組織形状、或いは、治療対象である骨組織の３次元的な形状を前記演算処理手段によって演算し、この演算された歯周組織形状、或いは、前記骨組織の形状を２次元に展開した展開形状を得、こうして得られた展開形状を前記歯周組織、或いは、前記骨組織を被覆する骨組織再生膜の切断パターンとして前記表示手段に表示することを特徴とする骨組織再生膜の切断パターン表示装置。
【請求項６】
歯牙、或いは、骨組織の３次元Ｘ線吸収係数データを記憶保存する記憶手段と、この記憶手段に保存された歯牙、或いは、骨組織の３次元Ｘ線吸収係数データを基に演算処理を行う演算処理手段とを備え、
前記記憶手段に保存されたＸ線ＣＴ撮影によって得られた３次元Ｘ線吸収係数データを基に、歯周組織の３次元的な歯周組織形状、或いは、治療対象である骨組織の３次元的な形状を前記演算処理手段によって演算し、この演算された歯周組織形状、或いは、前記骨組織の形状を２次元に展開した展開形状を求め、この展開形状から前記歯周組織、或いは、前記骨組織を被覆する骨組織再生膜の切断データを作成することを特徴とする骨組織再生膜の切断データ作成装置。
【請求項７】
歯牙、或いは、骨組織の３次元Ｘ線吸収係数データを記憶保存する記憶手段と、この記憶手段に保存された歯牙、或いは、骨組織の３次元Ｘ線吸収係数データを基に演算処理を行う演算処理手段と、与えられたデータを用いて骨組織再生膜を切断する切断手段とを備え、
前記記憶手段に保存されたＸ線ＣＴ撮影によって得られた３次元Ｘ線吸収係数データを基に、歯周組織の３次元的な歯周組織形状、或いは、治療対象である骨組織の３次元的な形状を前記演算処理手段によって演算し、この演算された歯周組織形状、或いは、前記骨組織の形状を２次元に展開した展開形状を求め、この展開形状から骨組織再生膜の切断データを作成し、この切断データを用いて前記歯周組織、或いは、前記骨組織を被覆する骨組織再生膜を切断することを特徴とする骨組織再生膜の切断装置。
【発明の詳細な説明】
【０００１】
【発明の属する技術分野】
本発明は、Ｘ線ＣＴ撮影によって得られた３次元Ｘ線吸収係数データを基に、歯牙の歯軸周りの３次元的な歯周組織形状、或いは、治療対象である骨組織の３次元的な形状を演算して、２次元に展開した歯周組織形状、或いは、骨組織形状の展開形状を得ることにより、術前に骨組織再生膜の切断形状を判断或いは切断できる骨組織再生膜の切断パターン表示方法及びこの方法を実現するプログラムを記録した記録媒体、骨組織再生膜の切断データ作成方法及びこの方法を実現するプログラムを記録した記録媒体、骨組織再生膜の切断パターン表示装置、骨組織再生膜の切断データ作成装置、骨組織再生膜の切断装置に関する。
【０００２】
【従来の技術】
被写体としての歯牙、或いは、骨組織の全周囲からＸ線を照射して、その投影データを得た後、この投影データからＸ線を透過させた被写体の３次元Ｘ線吸収係数データを得ることはＸ線ＣＴ撮影法として公知である。
【０００３】
また、この３次元Ｘ線吸収係数データを基にすれば、上記歯牙の歯軸周りの３次元的な歯周組織形状、或いは、治療対象である骨組織の３次元的な形状を演算することも可能である。
【０００４】
ここで、歯軸とは、歯牙の上下方向の中心仮想軸を意味する。
【０００５】
このようにして得られた３次元的な歯周組織形状、或いは、骨組織形状は、医師が、歯牙、或いは、骨組織などの治療の方法を判断する場合などの参考データとなる。
【０００６】
以下、歯科治療における場合を主に説明する。
【０００７】
今、患者が、歯肉炎などの歯周病を生じていた場合、従来から骨組織再生方法によって歯牙を治療していた。
【０００８】
この骨組織再生方法（GTR法とも呼ばれる。）とは、コラーゲンなどの薄膜（以下、「骨組織再生膜」という。）を、歯肉と、歯牙の歯根が埋設されている歯槽骨の上面側の歯周組織との間に介在させることによって、フラップ手術後に生じる長い接合上皮の形成を阻止し、骨組織再生膜によって形成された歯面側にあるスペースに、歯軸膜細胞を誘導させてセメント質形成を促し、結合組織性付着を獲得せんとするものである。
【０００９】
この骨組織再生膜を、歯肉と、歯周組織の間に介在させるには、歯牙の歯根が邪魔になるので、骨組織再生膜から歯牙の歯根部分だけを除去して切断する必要があり、その切断された骨組織再生膜を歯槽骨の上面側の歯周組織に付着するのである。
【００１０】
そのため、従来は、歯肉を切って歯根を露出し、術中に骨組織再生膜を歯根の形状に合わせて医師が一々切断したうえで、これを歯肉と歯槽骨の上面側の歯周組織の間に介在させる方法を採っていた。
【００１１】
なお、上記骨組織再生方法は、歯牙の歯科治療以外あっても、骨組織を誘導させてセメント質形成を促し、結合組織性付着を獲得せんとする再生方法にも使用できる。
【発明が解決しようとする課題】
しかし、歯槽骨の上面側の歯周組織形状は個々に異なる歪な形状であると共に、骨組織再生膜を歯根の形状に合わせて切断する作業は、医師が術中に歯根の形状を見ながら切断するという緻密な手作業であった。
【００１２】
そのため、術時間が長時間かかってしまうだけでなく、骨組織再生膜の切断を失敗し易いという問題があった。
【００１３】
本発明は、かかる課題を解決することを目的とするもので、Ｘ線ＣＴ撮影によって得られた３次元Ｘ線吸収係数データを基に、歯周組織の３次元的な歯周組織形状、或いは、骨組織の形状を２次元に展開した歯牙、或いは、骨組織に対応した展開形状を得て、例えば歯肉を切って歯根を外被しなくても術前に骨組織再生膜の切断形状を判断或いは切断できる骨組織再生膜の切断パターン表示方法及びこの方法を実現するプログラムを記録した記録媒体、骨組織再生膜の切断データ作成方法及びこの方法を実現するプログラムを記録した記録媒体、骨組織再生膜の切断パターン表示装置、骨組織再生膜の切断データ作成装置、骨組織再生膜の切断装置に関する。
【００１４】
【課題を解決するための手段】
上記目的を達成するため、請求項１に係る骨組織再生膜の切断パターン表示方法は、Ｘ線ＣＴ撮影によって得られた３次元Ｘ線吸収係数データを基に、歯周組織の３次元的な歯周組織形状、或いは、治療対象である骨組織の３次元的な形状を演算処理手段により演算し、この演算された歯周組織形状、或いは、前記骨組織の形状を２次元に展開した展開形状を得、こうして得られた展開形状を前記歯周組織、或いは、前記骨組織を被覆する骨組織再生膜の切断パターンとして表示手段に表示することを特徴としている。
【００１５】
ここで、切断パターンとは、３次元的な歯周組織形状を演算処理手段により演算して２次元に展開した歯牙の歯軸部分だけを除いて表示された２次元的な展開形状、或いは、３次元的な骨組織を演算処理手段により演算して２次元に展開した骨組織形状を表示した２次元的な展開形状をいう。
【００１６】
請求項１では、歯周組織の３次元的な歯周組織形状、或いは、治療対象である骨組織の３次元的な形状から、前記歯周組織、或いは、前記骨組織を被覆する２次元に展開した骨組織再生膜の切断パターンを表示手段に表示できる。
【００１７】
そのため、例えば、歯肉を切って歯根を露出しなくても、医師等は、表示された骨組織再生膜の切断パターンを術前に知ることができるため、骨組織再生膜の切断形状を術前に判断することができ、その切断を確実に行うことができる。
【００１８】
また、表示された切断パターンに合わせて骨組織再生膜を術前に切断しておくこともできるため、術中の切断時間を不要にして術時間を短縮できる。
【００１９】
請求項２に係る骨組織再生膜の切断データ作成方法は、Ｘ線ＣＴ撮影によって得られた３次元Ｘ線吸収係数データを基に、歯周組織の３次元的な歯周組織形状、或いは、治療対象である骨組織の３次元的な形状を演算処理手段により演算し、この演算された歯周組織形状、或いは、前記骨組織の形状を２次元に展開した展開形状を求め、この展開形状から前記歯周組織、或いは、前記骨組織を被覆する骨組織再生膜の切断データを作成することを特徴としている。
【００２０】
ここで、切断データとは、３次元的な歯周組織形状を演算処理手段により演算して２次元に展開した歯牙の歯軸部分だけを除いて表示された２次元的な展開形状、或いは、３次元的な骨組織を演算処理手段により演算して２次元に展開した骨組織形状を表示した２次元的な展開形状に、更に、切り込みなどの切断形状を表示したものをいう。
【００２１】
請求項２では、歯周組織の３次元的な歯周組織形状、或いは、治療対象である骨組織の３次元的な形状から、前記歯周組織、或いは、前記骨組織を被覆する２次元に展開した展開形状を求め、この展開形状から骨組織再生膜の切断データを作成できる。
【００２２】
そのため、例えば、歯肉を切って歯根を露出しなくても、作成された切断データを用いて、骨組織再生膜を術前に確実に切断することができ、術時間をより短縮できる。
【００２３】
請求項３に係る骨組織再生膜の切断パターン表示方法を実現するプログラムを記録した記録媒体は、Ｘ線ＣＴ撮影によって得られた３次元Ｘ線吸収係数データを基に、歯周組織の３次元的な歯周組織形状、或いは、治療対象である骨組織の３次元的な形状を演算するステップと、この演算された歯周組織形状、或いは、前記骨組織の形状を２次元に展開した展開形状を得るステップと、この展開形状を前記歯周組織、或いは、前記骨組織を被覆する骨組織再生膜の切断パターンとして表示するステップとからなることを特徴とする。
【００２４】
請求項３では、請求項１の骨組織再生膜の切断パターン表示方法を実現するための記録媒体を提供している。
【００２５】
この記録媒体によれば、例えば、歯肉を切って歯根を露出しなくても、記録されたプログラムに従って、コンピュータの画面上などに骨組織再生膜の切断パターンを表示できる。
【００２６】
請求項４に係る骨組織再生膜の切断データ作成方法を実現するプログラムを記録した記録媒体は、Ｘ線ＣＴ撮影によって得られた３次元Ｘ線吸収係数データを基に、歯周組織の３次元的な歯周組織形状、或いは、治療対象である骨組織の３次元的な形状を演算するステップと、この演算された歯周組織形状、或いは、前記骨組織の形状を２次元に展開した展開形状を求めるステップと、この展開形状から前記歯周組織、或いは、前記骨組織を被覆する骨組織再生膜の切断データを作成するステップからなることを特徴とする。
【００２７】
請求項４では、請求項２の骨組織再生膜の切断データ作成方法を実現するための記録媒体を提供している。
【００２８】
この記録媒体によれば、例えば、歯肉を切って歯根を露出しなくても、記録されたプログラムに従って、骨組織再生膜を確実に切断することができ、術時間をより短縮できる。
【００２９】
請求項５に係る骨組織再生膜の切断パターン表示装置は、歯牙、或いは、骨組織の３次元Ｘ線吸収係数データを記憶保存する記憶手段と、この記憶手段に保存された歯牙、或いは、骨組織の３次元Ｘ線吸収係数データを基に演算処理を行う演算処理手段と、表示手段とを備え、前記記憶手段に保存されたＸ線ＣＴ撮影によって得られた３次元Ｘ線吸収係数データを基に、歯周組織の３次元的な歯周組織形状、或いは、治療対象である骨組織の３次元的な形状を前記演算処理手段によって演算し、この演算された歯周組織形状、或いは、前記骨組織の形状を２次元に展開した展開形状を得、こうして得られた展開形状を前記歯周組織、或いは、前記骨組織を被覆する骨組織再生膜の切断パターンとして前記表示手段に表示することを特徴としている。
【００３０】
請求項５では、請求項１の骨組織再生膜の切断パターン表示方法を用いた骨組織再生膜の切断パターン表示装置を提供している。
【００３１】
そのため、例えば、歯肉を切って歯根を露出しなくても、医師等は、表示手段で表示される骨組織再生膜の切断パターンを術前に知ることができるため、骨組織再生膜の切断形状を術前に判断することができ、その切断を確実に行うことができる。
【００３２】
また、表示手段に表示された切断パターンに合わせて骨組織再生膜を術前に切断しておくこともできるため、術時間を短縮できる。
【００３３】
請求項６に係る骨組織再生膜の切断データ作成装置は、歯牙、或いは、骨組織の３次元Ｘ線吸収係数データを記憶保存する記憶手段と、この記憶手段に保存された歯牙、或いは、骨組織の３次元Ｘ線吸収係数データを基に演算処理を行う演算処理手段とを備え、前記記憶手段に保存されたＸ線ＣＴ撮影によって得られた３次元Ｘ線吸収係数データを基に、歯周組織の３次元的な歯周組織形状、或いは、治療対象である骨組織の３次元的な形状を前記演算処理手段によって演算し、この演算された歯周組織形状、或いは、前記骨組織の形状を２次元に展開した展開形状を求め、この展開形状から前記歯周組織、或いは、前記骨組織を被覆する骨組織再生膜の切断データを作成することを特徴とする。
【００３４】
請求項６では、請求項２の骨組織再生膜の切断データ作成方法を用いた骨組織再生膜の切断データ作成装置を提供している。
【００３５】
そのため、例えば、歯肉を切って歯根を露出しなくても、作成された切断データを用いて、切断手段によって骨組織再生膜を術前に確実に切断することができ、術時間をより短縮できる。
請求項７に係る骨組織再生膜の切断装置は、歯牙、或いは、骨組織の３次元Ｘ線吸収係数データを記憶保存する記憶手段と、この記憶手段に保存された歯牙、或いは、骨組織の３次元Ｘ線吸収係数データを基に演算処理を行う演算処理手段と、与えられたデータを用いて骨組織再生膜を切断する切断手段とを備え、前記記憶手段に保存されたＸ線ＣＴ撮影によって得られた３次元Ｘ線吸収係数データを基に、歯周組織の３次元的な歯周組織形状、或いは、治療対象である骨組織の３次元的な形状を前記演算処理手段によって演算し、この演算された歯周組織形状、或いは、前記骨組織の形状を２次元に展開した展開形状を求め、この展開形状から骨組織再生膜の切断データを作成し、この切断データを用いて前記歯周組織、或いは、前記骨組織を被覆する骨組織再生膜を切断することを特徴とする。
【００３６】
【発明の実施の形態】
以下、本発明に係る骨組織再生膜の切断パターン表示方法Ａを図面に基づき説明する。
【００３７】
本発明に係る骨組織再生膜の切断パターン表示方法Ａは、骨組織を誘導させてセメント質形成を促し、結合組織性付着を獲得せんとするものである再生方法として歯牙以外の治療にも使用できるものであるが、本実施例では歯牙の歯科治療を例示して説明する。
【００３８】
図１（ａ）〜（ｃ）は、本発明に係る骨組織再生膜の切断パターン表示方法を説明するための概略図である。
【００３９】
図１（ａ）は、治療する部分の歯牙の平面図、図１（ｂ）は、（ａ）で示したＡ−Ａ断面図、図１（ｃ）は、（ｂ）で示したB―B断面図を各々図示している。
【００４０】
図中１は歯牙、１１は歯根、２は歯肉、３は歯槽骨、４は骨組織再生膜を各々示している。
【００４１】
歯牙１は、図１（ｂ）の破線で示すように、歯根１１部分が歯槽骨３に埋設しており、この歯槽骨３を図中想像線で示す歯肉２で被覆している。
【００４２】
今、図１（ａ）で示した２本の歯牙１、１の間に、実線で示す骨組織再生膜４を介在させる骨組織再生膜の切断パターン表示方法を考えてみる。
【００４３】
まず、従来同様、Ｘ線ＣＴ撮影によって得られた３次元Ｘ線吸収係数データを基に、歯牙１の歯軸Ｓ周りの歯周組織の３次元的な歯周組織形状を演算処理手段により演算する（不図示）。
【００４４】
なお、ここで、歯周組織とは、歯牙１を取り囲む骨組織のことをいい、本実施例では特に符号を付していないが、歯槽骨３、或いは、そのうちの特に歯牙１を埋設させている部分をいう。
【００４５】
このようにして得られた３次元的な歯周組織形状は、図１（ｂ）に示すような縦断状態で見ることもでき、これを見た医師は、その歯牙１や歯周組織などの治療方法を検討し、歯肉炎などの歯周病を生じていた場合には、本発明に係る骨組織再生膜の切断パターン表示方法を採る。
【００４６】
また、図１（ｂ）に示すような局所部位を縦断状態で見るためのＸ線ＣＴ撮影として、本出願人が先に発明した局所照射Ｘ線ＣＴ撮影方法及びその装置（特開２０００−１３９９０２号）を利用すれば、患者に対するＸ線被曝量を抑制できるうえ、撮影時間も短縮できるため好ましい。
【００４７】
次に、医師は、骨組織再生膜４を取付ける位置を判断するが、ここでは、図１（ａ）で示した２本の歯牙１、１の間に位置する歯槽骨３に、実線で示す骨組織再生膜４を介在させることを決めたとする。
【００４８】
この場合、骨組織再生膜４を、図１（ｂ）の斜線部分で示すように、歯槽骨３の上面側の歯周組織を被覆するようにして付着させるのであるが、歯槽骨３の上面側の歯周組織は歪な形状であるうえ、骨組織再生膜４から歯根１１部分を切断する必要がある。
【００４９】
そこで、前述の演算した３次元的な歯周組織形状から更に演算して、歪な歯槽骨３の上面側の歯周組織形状を２次元に展開した展開形状を得る。
【００５０】
こうして２次元に展開した展開形状から、図１（ｃ）で示すように、歯牙１の歯根１１部分だけを除いて表示することで、骨組織再生膜４の切断パターン４１を表示できる。
【００５１】
このような骨組織再生膜の切断パターン表示方法によれば、歯肉２を切って歯根１１を外被しなくても、医師等は歯周組織形状や表示された骨組織再生膜４の切断パターン４１を術前に知ることができるため、骨組織再生膜４の切断形状を術前に判断して、その切断を確実に行うことができる。
【００５２】
また、表示された切断パターン４１に合わせて骨組織再生膜４を術前に切断しておくこともできるため、術中の切断時間を不要にして術時間を短縮できる。
【００５３】
図２（ａ）〜（ｃ）は、本発明に係る骨組織再生膜の切断データ作成方法を説明するための概略図である。
【００５４】
図２（ａ）は、治療する部分の歯牙の平面図、図２（ｂ）は、（ａ）で示したＡ−Ａ断面図、図２（ｃ）は、（ｂ）で示したB―B断面図を各々図示している。
【００５５】
ここで、図１と共通する部位については、同一の番号を付して、その説明を省略している。
【００５６】
今、図２（ａ）で示した２本の歯牙１、１の間に、実線で示す骨組織再生膜４を介在させる骨組織再生方法を考えてみる。
【００５７】
まず、従来同様、Ｘ線ＣＴ撮影によって得られた３次元Ｘ線吸収係数データを基に、歯槽骨３の上面の、歯牙１の歯軸Ｓ周りの歯周組織の３次元的な歯周組織形状を演算処理手段により演算する（不図示）。
【００５８】
このようにして得られた３次元的な歯周組織形状は、図２（ｂ）に示すような縦断状態で見ることもでき、これを見た医師は、その歯牙１や歯周組織３１などの治療方法を検討し、歯肉炎などの歯周病を生じていた場合には、本発明に係る骨組織再生膜の切断データ作成方法を採る。
【００５９】
次に、医師は、骨組織再生膜４の取付ける位置を判断するが、ここでは、図２（ａ）で示した２本の歯牙１、１の間に位置する歯槽骨３に、実線で示す骨組織再生膜４を介在させることを決めたとする。
【００６０】
この場合、骨組織再生膜４を、図２（ｂ）の斜線部分で示すように、歯槽骨３の上面側の歯周組織を被覆するようにして付着させるのであるが、歯槽骨３の上面側の歯周組織は歪な形状であるうえ、骨組織再生膜４から歯根１１部分を切断する必要がある。
【００６１】
また、骨組織再生膜４を実際に付着する場合には、歯根１１を回避する必要があるため、例えば、骨組織再生膜４を複数に切断した後、これを歯槽骨３の上面で再び合せて被覆するか、或いは、骨組織再生膜４の端縁適所から切断した歯根１１部分に向けて、切り込みを入れて切断し、この切り込みを開いて歯根１１を回避して付着させることが考えられる。
【００６２】
そこで、前述の通り演算した３次元的な歯周組織形状から更に演算して、歪な歯槽骨３の上面側の歯周組織形状を２次元に展開させた展開形状を求める。
【００６３】
こうして２次元に展開した展開形状から、図２（ｃ）で示すように、歯牙１の歯根１１部分だけを除いて表示すると共に、実際に切断される切断部４２をも表示することで、骨組織再生膜４の切断データ４３を作成できる。
【００６４】
そして、この作成された切断データ４３に合わせて切断すれば、歯牙１に対応した骨組織再生膜４を容易且つ確実に形成できる。
【００６５】
このような骨組織再生膜の切断データ作成方法によれば、歯肉２を切って歯根１１を外被しなくても、医師等は歯周組織形状や表示された骨組織再生膜４の切断データ４３を術前に作成できるため、この切断データ４３を用いて、骨組織再生膜４を術前に確実に切断しておくことができ、術時間をより短縮できる。
【００６６】
図３は、図１で示した骨組織再生膜の切断パターン表示方法を実現するプログラムを記録した記録媒体のプログラム内容を示す説明図である。
【００６７】
以下、図１、図２と共通する部位については、同一の番号を付して、その説明を省略している。
【００６８】
この記録媒体に記載されたプログラムは、Ｘ線ＣＴ撮影によって得られた３次元Ｘ線吸収係数データを基に歯牙の歯軸周りの３次元的な歯周組織形状を演算するステップ１００と、この演算された歯周組織形状を２次元に展開した展開形状を得るステップ１１０と、この展開形状を前記歯牙に対応した骨組織再生膜の切断パターンとして表示するステップ１２０とからなる。
【００６９】
すなわち、Ｘ線ＣＴ撮影によって得られた３次元Ｘ線吸収係数データをＣＴ画像データとして取り込み、このＣＴ画像データを基に、歯牙の歯軸周りの３次元的な歯周組織形状を演算して、治療する歯周組織の所望の断面位置を設定すると共に、その所望の断面位置を表示する（ステップ１００）、〔図１（ｂ）参照〕。
【００７０】
この表示された所望の断面位置に基き、ステップ１００によって演算した歯周組織形状の必要な部分を更に２次元形状に展開する演算を行う（ステップ１１０）。
【００７１】
そして、この展開した２次元形状を、骨組織再生膜の切断パターン４１として表示する（ステップ１２０）、〔図１（ｃ）参照〕。
【００７２】
この記録媒体によれば、歯肉２を切って歯根１１を外被しなくても、記録されたプログラムに従って、コンピュータの画面上などに骨組織再生膜の切断パターン４１を表示できると共に、図１で説明した効果を得ることもできる。
【００７３】
図４は、図２で示した骨組織再生膜の切断データ作成方法を実現するプログラムを記録した記録媒体のプログラム内容を示す説明図である。
【００７４】
この記録媒体に記載されたプログラムは、Ｘ線ＣＴ撮影によって得られた３次元Ｘ線吸収係数データを基に歯牙の歯軸周りの３次元的な歯周組織形状を演算するステップ１０１と、この演算された歯周組織形状を２次元に展開した展開形状を求めるステップ１１１と、この展開形状から前記歯牙に対応した骨組織再生膜の切断データを作成するステップ１２１からなる。
【００７５】
すなわち、Ｘ線ＣＴ撮影によって得られた３次元Ｘ線吸収係数データをＣＴ画像データとして取り込み、このＣＴ画像データを基に、歯牙の歯軸周りの３次元的な歯周組織形状を演算して、治療する歯周組織の所望の断面位置を設定すると共に、その所望の断面位置を表示する（ステップ１０１）、〔図２（ｂ）参照〕。
【００７６】
この表示された所望の断面位置に基き、ステップ１０１によって演算した歯周組織形状の必要な部分を更に演算して２次元に展開した展開形状を求める（ステップ１１１）。
【００７７】
そして、この展開形状に切り込みなどの必要な切断部４２を表示して、骨組織再生膜の切断データ４３を作成する（ステップ１２１）〔図２（ｃ）参照〕。
【００７８】
最後に、この切断データ４３に表示された展開形状の切断部４２に合せて骨組織再生膜４を切断する。
【００７９】
この記録媒体によれば、記録されたプログラムに従って表示される切断データ４３どおりに骨組織再生膜４を切断すればよく、骨組織再生膜４を容易且つ確実に切断できる。
【００８０】
また、このような記録媒体を用いて機械的或いは自動的に切断することもできるので、骨組織再生膜４の切断時間をより短縮できると共に、図２で説明した効果を得ることもできる。
図５は、図１で示した骨組織再生膜の切断パターン表示方法を用いた骨組織再生膜の切断パターン表示装置を示す概略図である。
【００８１】
この骨組織再生膜の切断パターン表示装置５０は、歯牙あるいは骨組織の３次元Ｘ線吸収係数データを記憶保存する記憶手段５１と、この記憶手段５１に保存された歯牙の３次元Ｘ線吸収係数データを基に演算処理を行う演算処理手段５２と、表示手段５３とを備え、Ｘ線ＣＴ撮影によって得られた３次元Ｘ線吸収係数データを基に、歯牙の歯軸周りの３次元的な歯周組織形状を演算し、この演算された歯周組織形状を２次元に展開した展開形状を得、こうして得られた展開形状を前記歯牙に対応した骨組織再生膜４の切断パターン４１として表示できる〔図１（ｃ）参照〕。
【００８２】
このような骨組織再生膜の切断パターン表示装置５０によれば、歯肉２を切って歯根１１を外被しなくても、医師等は、表示手段５３で表示された骨組織再生膜４の切断パターン４１を術前に知ることができるため、骨組織再生膜４の切断形状を術前に判断して、その切断を確実に行うことができる。
【００８３】
また、表示された切断パターン４１に合わせて骨組織再生膜４を術前に切断しておくこともできるため、術時間を短縮できる。
【００８４】
図６は、図２で示した骨組織再生膜の切断データ作成方法を用いた骨組織再生膜の切断データ作成装置を示す概略図である。この骨組織再生膜の切断データ作成装置６０は、歯牙あるいは骨組織の３次元Ｘ線吸収係数データを記憶保存する記憶手段６１と、この記憶手段６１に保存された歯牙の３次元Ｘ線吸収係数データを基に演算処理を行う演算処理手段６２と、与えられたデータを用いて骨組織再生膜を切断する切断手段６３とを備え、Ｘ線ＣＴ撮影によって得られた３次元Ｘ線吸収係数データを基に、歯牙の歯軸周りの３次元的な歯周組織形状を演算し、この演算された歯周組織形状を２次元に展開した展開形状を求め、この展開形状から骨組織再生膜の切断データ４３を作成し〔図２（ｃ）参照〕、この切断データ４３を用いて前記歯牙に対応した骨組織再生膜４を切断できる（切断手段６３を備えた骨組織再生膜の切断データ作成装置６０である骨組織再生膜の切断装置６０）。
【００８５】
このような骨組織再生膜の切断データ作成装置６０によれば、作成された切断データ４３を用いて、骨組織再生膜４を術前に切断することができ、術時間をより短縮できる。
【００８６】
また、切断データ４３に従って、骨組織再生膜４を自動的に切断することもできる。
【００８７】
【発明の効果】
本発明によれば、次のような効果がある。
【００８８】
請求項１に係る骨組織再生膜の切断パターン表示方法によれば、歯周組織の３次元的な歯周組織形状、或いは、治療対象である骨組織の３次元的な形状から、２次元に展開した骨組織再生膜の切断パターンを表示手段に表示できる。
【００８９】
そのため、例えば、歯肉を切って歯根を露出しなくても、医師等は、表示された骨組織再生膜の切断パターンを術前に知ることができるため、骨組織再生膜の切断形状を術前に判断することができ、その切断を確実に行うことができる。
【００９０】
また、表示された切断パターンに合わせて骨組織再生膜を術前に切断しておくこともできるため、術中の切断時間を不要にして術時間を短縮できる。
【００９１】
請求項２に係る骨組織再生膜の切断データ作成方法によれば、歯周組織の３次元的な歯周組織形状、或いは、治療対象である骨組織の３次元的な形状から、２次元に展開した展開形状を求め、この展開形状から前記歯周組織、或いは、前記骨組織を被覆する骨組織再生膜の切断データを作成できる。
【００９２】
そのため、例えば、歯肉を切って歯根を露出しなくても、作成された切断データを用いて、骨組織再生膜を術前に確実に切断することができ、術時間をより短縮できる。
【００９３】
請求項３に係る骨組織再生膜の切断パターン表示方法を実現するプログラムを記録した記録媒体によれば、例えば、歯肉を切って歯根を露出し歯肉をしなくても、記録されたプログラムに従って、コンピュータの画面上などに骨組織再生膜の切断パターンを表示できる。
【００９４】
請求項４に係る骨組織再生膜の切断データ作成方法を実現するプログラムを記録した記録媒体によれば、例えば、歯肉を切って歯根を露出しなくても、記録されたプログラムに従って、骨組織再生膜を切断することができ、術時間をより短縮できる。
【００９５】
請求項５に係る骨組織再生膜の切断パターン表示装置によれば、例えば、歯肉を切って歯根を露出しなくても、医師等は、表示手段で表示される骨組織再生膜の切断パターンを術前に知ることができるため、骨組織再生膜の切断形状を術前に判断することができ、その切断を確実に行うことができる。
【００９６】
また、表示手段に表示された切断パターンに合わせて骨組織再生膜を術前に切断しておくこともできるため、術時間を短縮できる。
【００９７】
請求項６に係る骨組織再生膜の切断データ作成装置によれば、例えば、歯肉を切って歯根を露出しなくても、作成された切断データを用いて、切断手段によって骨組織再生膜を術前に確実に切断することができ、術時間をより短縮できる。
【図面の簡単な説明】
【図１】（ａ）〜（ｃ）は、本発明に係る第１の骨組織再生方法を説明するための概略図
【図２】（ａ）〜（ｃ）は、本発明に係る第２の骨組織再生方法を説明するための概略図
【図３】図１で示した骨組織再生方法を実現するプログラムを記録した記録媒体のプログラム内容を示す説明図
【図４】図２で示した骨組織再生方法を実現するプログラムを記録した記録媒体のプログラム内容を示す説明図
【図５】図１で示した骨組織再生方法を用いた骨組織再生装置を示す概略図
【図６】図２で示した骨組織再生方法を用いた骨組織再生装置を示す概略図
【符号の説明】
Ｓ 歯軸
１ 歯牙
１１ 歯根
２ 歯肉
３ 歯槽骨（骨組織）
４ 骨組織再生膜
４１ 切断パターン
４２ 切断部
４３ 切断データ
１００ ３次元的な歯周組織形状を演算するステップ
１１０ ２次元に展開した展開形状を得るステップ
１２０ 切断パターンとして表示するステップ
１０１ ３次元的な歯周組織形状を演算するステップ
１１１ ２次元に展開した展開形状を求めるステップ
１２１ 切断データを作成するステップ
５０ 骨組織再生膜の切断パターン表示装置
５１ 記憶手段
５２ 演算処理手段
５３ 表示手段
６０ 骨組織再生膜の切断データ作成装置（骨組織再生膜の切断装置）
６１ 記憶手段
６２ 演算処理手段
６３ 切断手段
【図１】
0003966688.tif 000002
【図２】
0003966688.tif 000003
【図３】
0003966688.tif 000004
【図４】
0003966688.tif 000005
【図５】
0003966688.tif 000006
【図６】
0003966688.tif 000007